(57)【要約】【課題】収容対象物を透視可能に収容するための収容操作を簡易化し得る置物を提供する。【解決手段】置物１０は、板状の置物本体２０を有し、置物本体２０には、収容対象物を収容するための収容空間部２５ａ、２５ｂ、２５ｃが設けられ、収容対象物を収容空間部２５ａ、２５ｂ、２５ｃに挿入して収容するための挿入口２１ａ、２１ｂ、２１ｃが置物本体２０の端面２０ａ、２０ｃに開口している。【選択図】図１
0003233980.tif 000002
【実用新案登録請求の範囲】
【請求項１】
収容対象物を透視可能に収容する置物であって、
板状の置物本体を有し、
前記置物本体には、前記収容対象物を収容するための収容空間部が設けられ、
前記収容対象物を前記収容空間部に挿入して収容するための挿入口が前記置物本体の端面に開口していることを特徴とする置物。
【請求項２】
前記置物本体は、少なくとも、表板部材と中板部材と裏板部材とを有して構成され、
前記中板部材は、前記収容対象物と係合し得る形状及び寸法の切欠き部を有し、
前記収容空間部は、前記切欠き部が前記表板部材と前記裏板部材とにより狭まれることにより形成されることを特徴とする請求項１記載の置物。
【請求項３】
複数の前記収容空間部を有することを特徴とする請求項１又は２記載の置物。
【請求項４】
前記複数の前記収容空間部には、互いに形状及び寸法が異なる複数の前記収容空間部が含まれることを特徴とする請求項３記載の置物。
【請求項５】
前記置物本体の形状は、互いに平行な左端面及び右端面並びに互いに平行な上端面及び下端面を有する矩形板状であり、
前記挿入口は、前記左端面、前記右端面及び前記上端面のうちのいずれかに開口していることを特徴とする請求項１乃至４のいずれか一項記載の置物。
【請求項６】
前記互いに形状及び寸法が異なる複数の前記収容空間部は、前記置物本体の短片部に開口する大型収容空間部と、前記置物本体部の上部長辺部に開口する複数の小型収容空間部とにより構成され、前記複数の小型収容空間部は、前記置物本体の上下方向に対して傾斜して配置されていることを特徴とする請求項４記載の置物。
【考案の詳細な説明】
【技術分野】
【０００１】
本考案は、キーホルダチャーム、ポストカード、写真、小型カレンダー、ポストカード等を透視可能に収容して卓上等で使用できる置物に関する。
【背景技術】
【０００２】
写真、ワッペン、絵画等の表示紙片を透視可能に収納する額縁として使用可能な物品は公知である（特許文献１）。
【０００３】
また、各々形態が異なる複数種類の装飾材を取り付け可能な中間部材を、表面部材と裏面部材との間に挟んで固定することにより組み立てられる物品も公知である（特許文献２）。
【先行技術文献】
【特許文献】
【０００４】
【特許文献１】特開平10-234558号公報（キーホルダー）
【特許文献２】特開2021-035444号公報（物品およびプレートセット）
【考案の概要】
【考案が解決しようとする課題】
【０００５】
特許文献１の物品は、表面部材（キーホルダー主体）の凹部に収容対象物である表示紙片を取り付けた後、表面部材の凹部を裏面部材（蓋片）で閉じる必要があるため、収容対象物の収容操作が煩雑である。
【０００６】
また、特許文献２の物品は、中間部材に収容対象物である装飾材を取り付けた後、中間部材を表面部材と裏面部材との間に挟んで固定する必要があるため、収容対象物の収容操作が煩雑である。
【０００７】
本考案は、収容対象物を透視可能に収容するための収容操作を簡易化し得る置物を提供する。
【課題を解決するための手段】
【０００８】
上記課題を解決するために、本考案の置物は、収容対象物を透視可能に収容する置物であって、
板状の置物本体を有し、
前記置物本体には、前記収容対象物を収容するための収容空間部が設けられ、
前記収容対象物を前記収容空間部に挿入して収容するための挿入口が前記置物本体の端面に開口していることを特徴とする。
【０００９】
上記のように構成された置物によれば、収容対象物を置物本体の端面に開口した挿入口から収容空間部に挿入するという簡易な操作により、収容対象物を透視可能に収容することができる。
【００１０】
本考案の置物において、前記置物本体は、表板部材と中板部材と裏板部材とを有して構成され、
前記中板部材は、前記収容対象物と係合し得る形状及び寸法の切欠き部を有し、
前記収容空間部は、前記切欠き部が前記表板部材と前記裏板部材とにより狭まれることにより形成されることが望ましい。
【００１１】
上記構成によれば、前記表板部材、前記中板部材及び前記裏板部材を、前記中板部材を中間に配置して互いに重ね合わせるという簡単な構成により、置物本体の端面に挿入口が開口した収容空間部を有する置物を実現できる。
【００１２】
また、本考案の置物は、複数の前記収容空間部を有することが望ましい。この構成により、複数の収容対象物を透視可能に収容可能な置物を実現できる。
【００１３】
また、本考案の置物において、前記複数の前記収容空間部には、互いに形状及び寸法が異なる複数の前記収容空間部が含まれることが望ましい。この構成により、互いに形状及び寸法が異なる複数種類の収容対象物を透視可能に収容可能な置物を実現できる。
【００１４】
また、本考案の置物において、前記置物本体の形状は、互いに平行な左端面及び右端面並びに互いに平行な上端面及び下端面を有する矩形板状であり、前記挿入口は、前記左端面、前記右端面及び前記上端面のうちのいずれかに開口していることが望ましい。
【００１５】
上記のように構成された置物によれば、収容対象物を置物本体の左端面、右端面及び上端面のうちのいずれかに開口した挿入口から収容空間部に挿入するという簡易な操作により、収容対象物を透視可能に収容することができる。挿入口が、置物本体の左端面、右端面及び上端面のうちのいずれかに開口しているので、収容対象物が置物本体から脱落し難い。
また、本考案の置物において、前記互いに形状及び寸法が異なる複数の前記収容空間部は、前記置物本体の短片部に開口する大型収容空間部と、前記置物本体部の上部長辺部に開口する複数の小型収容空間部とにより構成され、前記複数の小型収容空間部は、前記置物本体の上下方向に対して傾斜して配置されていることが望ましい。
従って、複数種類の大きさの異なる収容対象物を収納することができる。また、複数の小型収容空間部は傾斜して配置されていることから、小型収容空間部に収容対象物を収納した場合には視認する場合にアクセントとなり、外観品質を向上させることが可能となる。
【考案の効果】
【００１６】
本考案によれば、収容対象物を透視可能に収容するための収容操作を簡易化し得る置物を提供することができる。
【図面の簡単な説明】
【００１７】
【図１】本考案の一実施形態の置物の斜視図である。
【図２】図１に示す置物の別角度の斜視図である。
【図３】図１に示す置物の分解斜視図である。
【図４】図１に示す置物の中板部材の平面図である。
【図５】図１に示す置物に収容対象物を収容した状態の正面図である。
【考案を実施するための形態】
【００１８】
以下、本考案の実施形態について添付図面を参照しつつ説明する。
【００１９】
［構成］
図５に示すように、一実施形態の置物１０は、収容対象物Ｐ１、Ｐ２、Ｐ３を透視可能に収容する略矩形板状の横長の置物本体２０と、置物本体２０の下端部に設けられた左右一対の脚体３０Ｌ、３０Ｒと、を有する。
【００２０】
置物本体２０には、収容対象物Ｐ１、Ｐ２、Ｐ３を収容するための収容空間部２５ａ、２５ｂ、２５ｃが設けられている。本実施の形態にあっては、収容対象物Ｐ１、Ｐ２、Ｐ３は、例えば、平面長方形状に形成されたキャラクターピースにであって、それぞれキャラクタの画像が印刷、フィルムの貼付、等により付されている。
この実施の形態では、図５に示すように、収容対象物Ｐ１は、比較的大型の長方形板状に形成されたカード状の収容対象物であり、収容対象物Ｐ２、Ｐ３は、長方形板状に形成され、収容対象物Ｐ１よりも小型の札状の収容対象物である。収容対象物Ｐ１は、キャラクターピースの他に、例えば、写真、カレンダー、ポストカード等であってもよい。
収容対象物Ｐ２、Ｐ３は、互いに同形・同寸である。収容対象物Ｐ２、Ｐ３の例として、例えば、キーホルダチャームを挙げることができる。
【００２１】
図１及び図２に示すように、置物本体２０は、互いに平行な左端面２０ａ及び右端面２０ｂ並びに互いに平行な上端面２０ｃ及び下端面２０ｄを有する。置物本体２０の左端面２０ａには、収容対象物Ｐ１を収容空間部２５ａに挿入して収容するための挿入口２１ａが開口している。置物本体２０の上端面２０ｃには、収容対象物Ｐ２、Ｐ３を収容空間部２５ｂ、２５ｃに挿入して収容するための挿入口２１ｂ、２１ｃが開口している。
【００２２】
図３に示すように、置物本体２０は、表板部材２２と中板部材２３と裏板部材２４とを有する。表板部材２２、中板部材２３及び裏板部材２４は、互いに略同形同寸の透明アクリル部材である。置物本体２０は、表板部材２２、中板部材２３及び裏板部材２４を、中板部材２３を中間に配置して互いに重ね合わせた状態で、四隅部を金具４１で締め付けて互いに固定することにより構成される。置物本体２０の下端部に設けられた左右の金具４１は、左右一対の脚体３０Ｌ、３０Ｒとして機能する。
【００２３】
図４に示すように、中板部材２３は、収容対象物Ｐ１と係合し得る形状及び寸法の一つの切欠き部２３ａと、収容対象物Ｐ２、Ｐ３と係合し得る形状及び寸法の二つの切欠き部２３ｂ、２３ｃと、を有する。
収容空間部２５ａ、２５ｂ、２５ｃは、切欠き部２３ａ、２３ｂ、２３ｃが表板部材２２と裏板部材２４とにより狭まれることにより形成される。収容空間部２５ａは側面長方形状であって、収容対象物Ｐ１を収納できる大きさに形成されている。また、収容空間部２５ｂ、２５ｃは、収容対象物Ｐ２、Ｐ３を収納できるように収容空間部２５ａよりも小型に形成され、収容空間部２５ｂ、２５ｃは、収容空間部２５ａの上方において、置物本体２０の上下方向に対して傾斜し、互いに平行に配置されている。
図２に示すように、裏面視において、裏板部材２４の右端部には、中板部材２３の切欠き部２３ａと重なる切欠き部２４ａが設けられている。図３に示すように、裏板部材２４の上端部には、中板部材２３の切欠き部２３ｂ、２３ｃの上端部と重なる切欠き部２４ｂが設けられている。
【００２４】
［作用・効果］
上記のように構成される一実施形態の置物１０によれば、収容対象物Ｐ１を、置物本体２０の正面視左端面２０ａに開口した挿入口２１ａから収容空間部２５ａに挿入するとともに、収容対象物Ｐ２、Ｐ３を、置物本体２０の上端面２０ｃに開口した挿入口２１ｂ、２１ｃから収容空間部２５ｂ、２５ｃに挿入するという簡易な操作により、収容対象物Ｐ１、Ｐ２、Ｐ３を透視可能に収容することができる。
挿入口２１ａ、２１ｂ、２１ｃが、置物本体２０の左端面２０ａ及び上端面２０ｃに開口しているので、収容対象物Ｐ１、Ｐ２、Ｐ３が置物本体２０から脱落し難い。よって、挿入口２１ａ、２１ｂ、２１ｃに蓋を設ける必要がない。
【００２５】
また、一実施形態によれば、置物本体２０は、表板部材２２と中板部材２３と裏板部材２４とを有して構成され、中板部材２３は、収容対象物である収容対象物Ｐ１、Ｐ２、Ｐ３と係合し得る形状及び寸法の切欠き部２３ａ、２３ｂ、２３ｃを有し、収容空間部２５ａ、２５ｂ、２５ｃは、切欠き部２３ａ、２３ｂ、２３ｃが表板部材２２と裏板部材２４とにより狭まれることにより形成されるので、表板部材２２、中板部材２３及び裏板部材２４を、中板部材２３を中間に配置して互いに重ね合わせるという簡単な構成により、置物本体２０の左端面２０ａ及び上端面２０ｃに挿入口２１ａ、２１ｂ、２１ｃが開口した収容空間部２５ａ、２５ｂ、２５ｃを有する置物１０を実現できる。
【００２６】
また、一実施形態の置物１０は、複数（この例では３つ）の収容空間部２５ａ、２５ｂ、２５ｃを有するので、複数の収容対象物である収容対象物Ｐ１、Ｐ２、Ｐ３を透視可能に収容可能である。
【００２７】
また、一実施形態の置物１０は、カード状の収容対象物Ｐ１を収容するための収容空間部２５ａと札状の収容対象物Ｐ２、Ｐ３を収容するための収容空間部２５ｂ、２５ｃとを有するので、互いに形状及び寸法が異なる複数種類（この例では二種類）の収容対象物である収容対象物Ｐ１及び収容対象物Ｐ２、Ｐ３を透視可能に収容できる。
【００２８】
また、一実施形態の置物１０は、裏板部材２４に、中板部材２３の切欠き部２３ａの左端部と重なる切欠き部２４ａ及び中板部材２３の切欠き部２３ｂ、２３ｃの上端部と重なる切欠き部２４ｂが設けられているので、収容対象物Ｐ１、Ｐ２、Ｐ３を収容空間部２５ａ、２５ｂ、２５ｃに出し入れしやすい。
【００２９】
なお、本考案は上記実施形態に限定されない。例えば、上記実施形態では、複数の収容空間部２５ａ、２５ｂ、２５ｃを有する置物１０を例示したが、収容空間部を一つだけ有する置物も本考案の置物に含まれる。
【００３０】
また、上記実施形態では、三つの収容空間部２５ａ、２５ｂ、２５ｃを有する置物１０を例示したが、四つ以上の収容空間部を有する置物も本考案の置物に含まれる。
【００３１】
また、上記実施形態では、互いに形状及び寸法が異なる二種類の収容空間部すなわち、カード状の収容対象物Ｐ１を収容するための収容空間部２５ａと、収容対象物Ｐ１よりも小寸の札状の収容対象物Ｐ２、Ｐ３を収容するための収容空間部２５ｂ、２５ｃとを有する置物１０を例示したが、互いに形状及び寸法が異なる三種類以上の収容空間部を有する置物も本考案の置物に含まれる。
【００３２】
また、上記実施形態では、収容対象物としてカード状の収容対象物Ｐ１及び札状の収容対象物Ｐ２、Ｐ３を例示したが、ポストカード、カレンダー、写真、その他の物も収容対象物とすることができる。いずれの収容対象物の場合も、その収容対象物と係合し得る形状及び寸法の切欠き部を中板部材２３に形成し、その中板部材２３を中間に配置して、表板部材２２、中板部材２３及び裏板部材２４を互いに重ね合わせた状態で、四隅部を金具４１で締め付けて互いに固定することにより、その収容対象物を収容し得る収容部を有する置物１０を実現することができる。
【００３３】
また、上記実施形態では、置物本体２０の素材として透明アクリルを例示したが、透明な素材として、アクリル以外のプラスチック、強化硝子、等を使用してもよい。また、置物本体２０を構成する表板部材２２、中板部材２３及び裏板部材２４のうち、表板部材２２のみ透明アクリルを使用し、中板部材２３及び裏板部材２４は不透明なアクリル部材であってもよい。また、中板部材２３及び裏板部材２４の素材として、金属、紙、木、等を用いることも可能である。
【００３４】
また、上記実施形態では、横長の長方形の置物本体２０を例示したが、置物本体の形状は縦長の長方形でもよく、さらに、長方形に限らず、正方形その他の形状であってもよい。
【００３５】
また、上記実施形態では、三枚の板部材（表板部材２２、中板部材２３及び裏板部材２４）を重ねて構成される置物本体２０を例示したが、置物本体２０は一体成型体であってもよい。置物本体２０を一体成型体とした場合、四隅部に金具４１を設ける必要はない。ただし、別途脚体を設ける必要がある。
【００３６】
また、上記実施形態に示した置物本体２０は、その上部にボールチェーンなどの吊下部材を取り付けることにより、部屋の壁などに吊り下げて取り付けることができる。
【符号の説明】
【００３７】
１０  置物
２０  置物本体
２０ａ  左端面
２０ｂ  右端面
２０ｃ  上端面
２０ｄ  下端面
２１ａ  挿入口
２１ｂ  挿入口
２１ｃ  挿入口
２３ａ  切欠き部
２３ｂ  切欠き部
２３ｃ  切欠き部
２５ａ  収容空間部
２５ｂ  収容空間部
２５ｃ  収容空間部
３０Ｌ  脚体
３０Ｒ  脚体
Ｐ１  収容対象物
Ｐ２  収容対象物
Ｐ３  収容対象物
【図１】
0003233980.tif 000003
【図２】
0003233980.tif 000004
【図３】
0003233980.tif 000005
【図４】
0003233980.tif 000006
【図５】
0003233980.tif 000007